(57)【要約】【課題】売上金入金処理装置で集計された現金を複数の指定口座に振り込む際の、遊技店側及び警備会社側の作業負担を軽減するとともに、作業上発生するミスをなくすこと。【解決手段】通信回線を介して外部とのデータの送受信を行う通信手段を備え、入力部において入力された一又は二以上の振込み先情報及び振込み金額を前記通信手段を介して外部の振込代行業者に送信する。【選択図】図５
2005267300.tif 000002
【特許請求の範囲】
【請求項１】
処理すべき紙幣を一括で受け入れる紙幣受入部と、
所定の情報を入力及び記憶可能な入力部と、
前記紙幣受入部に受け入れた紙幣を１枚ずつ繰り出して搬送する繰出搬送部と、
該繰出搬送部の下流側に位置し、前記繰出搬送部によって搬送される紙幣の金種を識別する金種識別部と、
該金種識別部の下流側に位置し、搬送される紙幣を前記入力部にて入力された仕分け情報に基づいて使途別に仕分ける仕分部と、
該仕分部によって仕分けられた紙幣を収納する使途別の収納部と、
通信回線を介して外部とのデータの送受信を行う通信手段と、
を備え、
前記入力部において入力された一又は二以上の振込み先情報及び振込み金額を前記通信手段を介して外部の振込代行業者に送信する、売上金入金処理装置であって、
振込み対象となっている紙幣が収納されている収納部への入金額と、前記入力された振込み金額の合計額とを比較し、該合計額が前記入金額を超えないことを条件として前記振込代行業者への送信を許可する送信許可手段をさらに具備したことを特徴とする売上金入金処理装置。
【請求項２】
前記振込み対象となっている紙幣が収納されている収納部が紙幣カセットである、請求項１に記載の売上金入金処理装置。
【発明の詳細な説明】
【技術分野】
【０００１】
本発明は主としてパチンコ店等の遊技店の店舗内に設置される紙幣の売上金入金処理装置に関するもので、特に売上金の振り込み先を記憶可能且つ送信可能とした売上金入金処理装置に関する。
【背景技術】
【０００２】
パチンコ店等の遊技店における売上金入金処理に好適な紙幣の売上金入金処理装置については、本出願人が先に提案したものがある（特許文献１参照。）。
前記売上金入金処理装置は、粗利益については紙幣カセットに送り、特殊景品交換代金についてはバラ収納部に送り、店内準備金については束収納部に送る様になっている。そして、入金処理が確定した段階で前記紙幣カセットは遊技店と委託関係のある警備会社の警備員によって、紙幣カセットごと回収され、遊技店指定の銀行口座に入金される運用がとられている。
ところで、上述のケースでは当該遊技店における売上金の粗利であるから、通常はその遊技店の指定口座に全額振り込まれることになるが、以下のようなケースも考えられるため、複数の口座に分けて振り込む必要性も生ずる。
(1)遊技店では特殊景品のほかに菓子等の一般景品の仕入れも不可欠であり、その仕入れ代金を業者の指定口座に振り込むことが必要となる。
(2)遊技店がその近隣に別資本で飲食店を経営していて、そこで売り上げた現金をグループ会社との観点から売上金入金処理装置で集計処理するケースがある。その際、その売上金は前記飲食店の銀行口座に振り込むことが必要となる。
かかる場合に、従来は、遊技店側から警備会社に振り込み先、振り込み金額をＦＡＸ等で連絡し、警備会社側でその遊技店から受けた振り込み先、振り込み金額をシステムに入力し、警備会社が一時立て替える形でその金額を銀行に振り込み、遊技店から回収した紙幣カセットに入っている現金で精算を行うという運用がとられていた。
【特許文献１】特開２００４−５４４５６号公報
【発明の開示】
【発明が解決しようとする課題】
【０００３】
しかしながら、前記警備会社への振込口座等の連絡はＦＡＸ等で人間が行うため、ＦＡＸ用紙への記入ミス、あるいは送信ミスにより正しく送信されない可能性がある。また、振り込み口座のシステムへの入力は警備会社で行われるため、入力ミスの可能性がある。さらには、各振込み先への振り込むべき金額の合計と売上金入金処理装置で集計された実際の金額に差異が生じた時は、再度ＦＡＸ、電話等のやりとりが発生し、作業負担が増える。
本発明は上述のような事情に鑑み為されたものであり、本発明の目的は、売上金入金処理装置で集計された現金を複数の指定口座に振り込む際の、遊技店側及び警備会社側の作業負担を軽減するとともに、作業上発生するミスをなくすることにある。
【課題を解決するための手段】
【０００４】
本発明は、店舗内に設置される紙幣の売上金入金処理装置に関し、本発明の上記目的は、処理すべき紙幣を一括で受け入れる紙幣受入部と、所定の情報を入力及び記憶可能な入力部と、前記紙幣受入部に受け入れた紙幣を１枚ずつ繰り出して搬送する繰出搬送部と、該繰出搬送部の下流側に位置し、前記繰出搬送部によって搬送される紙幣の金種を識別する金種識別部と、該金種識別部の下流側に位置し、搬送される紙幣を前記入力部にて入力された仕分け情報に基づいて使途別に仕分ける仕分部と、該仕分部によって仕分けられた紙幣を収納する使途別の収納部と、通信回線を介して外部とのデータの送受信を行う通信手段とを備え、前記入力部において入力された一又は二以上の振込み先情報及び振込み金額を前記通信手段を介して外部の振込代行業者に送信する、売上金入金処理装置であって、
振込み対象となっている紙幣が収納されている収納部への入金額と、前記入力された振込み金額の合計額とを比較し、該合計額が前記入金額を超えないことを条件として前記振込代行業者への送信を許可する送信許可手段をさらに具備したことを特徴とする売上金入金処理装置によって達成される。
【発明の効果】
【０００５】
本発明に係る売上金入金処理装置によれば、振込み先をあらかじめ登録でき、警備会社のシステムと通信回線を介して接続されているため、従来のようなＦＡＸでの連絡における口座番号等の記入ミスや送信ミスもなくなる。
また、売上金入金処理装置で入金処理された現金の額と、振り込み口座毎の入力金額の合計額とを売上金入金処理装置でチェックできるため、入力部で指定した各振込み先の合計金額と、売上金入金処理装置に入金された金額の合計金額との差異が発生しない。
さらに、売上金入金処理装置で入力され確定した振込み先、振込み金額が通信回線を介して警備会社に送られてくるため、警備会社での入力作業が不要となり、入力ミス等がなくなるという効果がある。
【発明を実施するための最良の形態】
【０００６】
本発明に係る売上金入金処理装置について、図面を参照しつつ説明する。
図１は、本発明の売上金入金処理装置の外観を示すものであり、同図中、１は紙幣受入部、２は金額情報（振込先情報も含む）やメールアドレス等を入力する入力部である。
【０００７】
図２は、上記売上金入金処理装置の内部を示す断面である。同図中、１は紙幣受入部、２は入力部、３は繰出搬送部、４は金種識別部、５は仕分部、６は結束部、７は両替機／遊技カード販売機用釣り銭用紙幣の束収納部、８は特殊景品交換代金用紙幣のバラ収納部、９は粗利益収納部としての紙幣カセット、１０は紙幣カセットと接続される一時保留部である。なお、前記売上金入金処理装置は図示しない通信接続部１３も備えており、外部機器（ホールコンピュータまたは、警備会社のサーバ等）と相互に通信を行うことができるようになっている。
【０００８】
図３は、前記売上金入金処理装置の制御系を示すブロック図である。制御部１１は、入力部２、金種識別部４、仕分部５、結束部６及び通信接続部１３を所定の制御プログラムに従って制御するものである。また、制御部１１は、演算制御を行うＣＰＵ１１１と、前記制御プログラムが格納されているＲＯＭ１１２と作業メモリであるＲＡＭ１１３を含むものである。さらに、制御部１１には記憶部１２が接続されており、取り込んだ紙幣の金種、枚数、格納場所等のデータ、並びに振込み情報（銀行名、口座番号、名義人、振込み金額）及び送信先のメールアドレス等を記憶するためのものである。ここで、同図中の通信接続部１３は、遊技店に設置されるホールコンピュータとオンライン接続したり、外部のパソコン等にインターネット等のネットワーク（通信回線）を介して通信を行ったりするためのものである。
【０００９】
図４は、遊技店に設置される売上金入金処理装置、遊技カード販売機及びその他の機器と、ホールコンピュータとのオンライン接続状況を示す図である。また、前記売上金入金処理装置は、さらにインターネット等のネットワークを介して、警備会社のシステム（サーバ）と通信が可能になっている。なお、本発明においては、前記売上金入金処理装置とホールコンピュータとのオンライン接続は必須でない。
【００１０】
以下、遊技店での営業終了時における、本発明に係る売上金入金処理装置による入金処理について、図５のフローチャートに基づいて説明する。
まず、ホール内各機器から回収した紙幣を売上金入金処理装置を用いて、前記入力部から入力した現金振り分けデータに基づいて各使途別に振り分ける入金処理を行う（ステップＳ１）。入金処理の結果、店内準備金は束収納部７へ、特殊景品交換代金はバラ収納部８へ、粗利は紙幣カセット９（または一時保留部１０）に収納される。なお、この処理の詳細については、前記特許文献１に記載されているので、ここでは省略する。
店内のすべての紙幣についての入金処理が終了すると、図６のような入金完了画面が表示されるので、「振込先指定」ボタンを押す。図６における粗利分（紙幣カセットに収納されている紙幣の合計額）が後述の振込み対象（ここでは、当該遊技店の通常振込口座への入金も、説明の都合上、振込み対象に含めるものとする。）金額である。
次に、図７のような振込先ごとの振込金額入力画面が表示されるので、振込金額を入力する（ステップＳ２）。なお、銀行名、支店名、口座番号については初回のみ入力すればよく、このデータは記憶部１２に格納されている。また、ここでは前記遊技店自身の口座に入金する粗利残高（粗利合計から振込金額合計を引いた残額。）は入力しなくてもよい。
振込金額の入力が終了しＯＫボタンを押すと、図８のような確認画面が表示される。ここでは、ステップＳ２において入力した振込金額が自動的に合計されて「指定金額合計」欄に表示（\2,940,000）されるとともに、ステップＳ１で集計された紙幣カセット９内の金額（\4,500,000）が読み出されて対比可能に表示される。また、同時に、紙幣カセット内の金額から前記指定金額合計が差し引かれたものが、自動的に遊技店の当日粗利残高（\1,560,000）として表示される。
ここで操作者が「送信」ボタンを押すと、制御部１１は「指定金額合計（Ａ）」欄の金額と「紙幣カセット内金額（Ｂ）」とを比較し（ステップＳ３）、Ａ≦Ｂであれば、各振込先及び振込金額のデータ（遊技店の口座への入金データも含む。）を、振込み作業を委託している警備会社のサーバ等に通信回線を介して送信する（ステップＳ４）。送信が許可されると図９の画面が表示され、送信完了するとＯＫボタンを押すことにより画面が初期状態に戻る。
一方、振込金額の入力にミスがあり、「指定金額合計」欄の金額（Ａ）が「紙幣カセット内金額」欄の金額（Ｂ）を超えている場合は、送信ボタンを押しても送信されない。そこで「再入力」ボタンを押すと図７の入力画面に戻り、金額を修正した上でＯＫボタンを押す（ステップＳ５）。そうすると再び図８の画面が表示され、送信ボタンを押せば（正しく修正されたという前提で）送信が許可され（ステップＳ４）、図９の画面が表示される。
【００１１】
以上、本発明に係る売上金入金処理装置の動作について説明したが、本発明はこれに限定されるものではなく、様々なバリエーションが可能である。
例えば、振込先を毎回手入力するようにしてもよいし、振込先指定及び金額入力は暗証番号等の入力によって特定の人しかできないようにしてもよい。
また、売上金入金処理装置にて入金処理を行う前（前記ステップＳ１の前）に振込先、金額を指定してもよいことは言うまでも無い。
さらには、送信完了後、送信記録をジャーナル印字してもよい。
なお、本発明の実施例は主として遊技店舗における運用を例に説明してきたが、本発明に係る売上金入金処理装置は一般の商業店舗においても同様に使用できることは言うまでもない。
【図面の簡単な説明】
【００１２】
【図１】本発明の売上金入金処理装置の外観を示す図である。
【図２】売上金入金処理装置の内部を示す断面である。
【図３】売上金入金処理装置の制御系を示すブロック図である。
【図４】遊技店に設置される売上金入金処理装置、遊技カード販売機及びその他の機器と、ホールコンピュータとのオンライン接続状況を示す図である。
【図５】本発明に係る売上金入金処理装置による入金処理についてのフローチャートの一例である。
【図６】入金完了画面の一例である。
【図７】振込先ごとの振込金額入力画面の一例である。
【図８】振込先ごとの振込金額確認画面の一例である。
【図９】送信中若しくは送信完了状態を示す画面の一例である。
【符号の説明】
【００１３】
１  紙幣受入部
２  入力部
３  繰出搬送部
４  金種識別部
５  仕分部
６  結束部
７  束収納部
８  バラ収納部
９  紙幣カセット
１０  一時保留部
１１  制御部
１２  記憶部
１３  通信接続部
【図１】
2005267300.tif 000003
【図２】
2005267300.tif 000004
【図３】
2005267300.tif 000005
【図４】
2005267300.tif 000006
【図５】
2005267300.tif 000007
【図６】
2005267300.tif 000008
【図７】
2005267300.tif 000009
【図８】
2005267300.tif 000010
【図９】
2005267300.tif 000011